(57)【要約】【課題】  給電部が挿入される構成であっても、電源装置の発熱による温度上昇を抑制することができる照明装置、及び照明器具を提供する。【解決手段】  電源装置４２は、挿入空間４０３を挟んでケース３内に収納されている第１電源基板４３１及び第２電源基板４４１を有している。第１電源基板４３１は、引掛シーリングアダプタ１０２から入力電圧を受け取るレセプタクルコネクタ４３０ａと、入力電圧を昇圧した昇圧電圧Ｖ１を第２電源基板４４１へ出力する力率改善回路４３ａとを備える。第２電源基板４４１は、昇圧電圧を降圧した負荷電圧をＬＥＤモジュール５に出力する降圧回路４４ａを備える。【選択図】図３
2019033048.tif 000002
【特許請求の範囲】
【請求項１】
光源に負荷電力を供給して光源を点灯させる電源装置と、
前記電源装置が収納されるケースと、を備え、
前記ケース内には、前記電源装置に外部からの入力電力を供給する給電部が挿入される挿入空間があり、
前記電源装置は、前記挿入空間を挟んで前記ケース内に収納されている第１電源基板及び第２電源基板を有しており、
前記第１電源基板は、前記給電部から入力電圧を受け取る入力接続部と、前記入力電圧を昇圧した昇圧電圧を前記第２電源基板へ出力する昇圧回路とを備え、
前記第２電源基板は、前記昇圧電圧を降圧した負荷電圧を前記光源に出力する降圧回路を備える
ことを特徴とする照明装置。
【請求項２】
前記第２電源基板は、前記昇圧回路及び前記降圧回路を制御する制御回路をさらに備えることを特徴とする請求項１記載の照明装置。
【請求項３】
前記ケース内において前記挿入空間を挟んで位置する第１空間及び第２空間のうち、前記第１空間には前記第１電源基板が収納され、前記第２空間には前記第２電源基板が収納されており、
前記第１電源基板は前記第１空間において前記挿入空間寄りに配置され、前記第２電源基板は、前記昇圧回路が前記制御回路よりも前記挿入空間に近くなるように配置されている
ことを特徴とする請求項２記載の照明装置。
【請求項４】
前記ケースは長尺状に形成されており、
前記第１電源基板は、前記ケースの長手方向の一端側に収納され、
前記第２電源基板は、前記ケースの長手方向の他端側に収納されている
ことを特徴とする請求項１乃至３のいずれか一項に記載の照明装置。
【請求項５】
前記第１電源基板及び前記第２電源基板は、板状に形成された電気絶縁性を有する１つの絶縁部材に取り付けられることを特徴とする請求項１乃至４のいずれか一項に記載の照明装置。
【請求項６】
前記絶縁部材は、前記第１電源基板及び前記第２電源基板を保持する基板保持部を有することを特徴とする請求項５記載の照明装置。
【請求項７】
請求項１乃至６のいずれか一項に記載の照明装置と、前記照明装置が取り付けられた器具本体とを備えることを特徴とする照明器具。
【発明の詳細な説明】
【技術分野】
【０００１】
本発明は、照明装置、及び照明器具に関するものである。
【背景技術】
【０００２】
特許文献１の照明器具は、複数のＬＥＤ素子を備えており、複数のＬＥＤ素子へ電力を供給する電源装置（電源部）をさらに有している。
【０００３】
また、特許文献１の照明器具は、天井に取り付けられる照明器具であり、天井に設置される引掛シーリングに機械的および電気的に接続される取付部を備えている。
【先行技術文献】
【特許文献】
【０００４】
【特許文献１】特開２０１７−１２０６８７号公報
【発明の概要】
【発明が解決しようとする課題】
【０００５】
照明器具の電源装置は、一般に動作時に熱を発生しており、この電源装置の放熱は重要である。しかしながら、特許文献１の照明器具は、電源装置の放熱について開示されていない。
【０００６】
また、特許文献１の照明器具では、電源装置に外部からの入力電力を供給する給電部が器具内に挿入されており、電源装置の発熱による温度上昇をできるだけ抑えることが好ましい。しかしながら、特許文献１の照明器具では、器具内の空間的な制約によって、電源装置の放熱のための構成を器具内に設けることは、容易ではなかった。
【０００７】
本発明は、上記事由に鑑みてなされたものであり、その目的は、給電部が挿入される構成であっても、電源装置の発熱による温度上昇を抑制することができる照明装置、及び照明器具を提供することにある。
【課題を解決するための手段】
【０００８】
本発明の照明装置は、光源に負荷電力を供給して光源を点灯させる電源装置と、前記電源装置が収納されるケースと、を備える。前記ケース内には、前記電源装置に外部からの入力電力を供給する給電部が挿入される挿入空間がある。前記電源装置は、前記挿入空間を挟んで前記ケース内に収納されている第１電源基板及び第２電源基板を有している。前記第１電源基板は、前記給電部から入力電圧を受け取る入力接続部と、前記入力電圧を昇圧した昇圧電圧を前記第２電源基板へ出力する昇圧回路とを備える。前記第２電源基板は、前記昇圧電圧を降圧した負荷電圧を前記光源に出力する降圧回路を備える。
【０００９】
本発明の照明器具は、上述の照明装置と、前記照明装置が取り付けられた器具本体とを備える。
【発明の効果】
【００１０】
以上説明したように、本発明では、給電部が挿入される構成であっても、電源装置の発熱による温度上昇を抑制することができるという効果がある。
【図面の簡単な説明】
【００１１】
【図１】図１は、本発明の実施形態に係る照明器具を示す分解斜視図である。
【図２】図２は、上述の照明器具を示す別の分解斜視図である。
【図３】図３は、上述の照明装置を示す分解斜視図である。
【図４】図４は、上述の照明装置を示す別の分解斜視図である。
【図５】図５は、上述の照明装置が備える電源ユニットを示す正面図である。
【図６】図６は、上述の照明装置が備える電源ユニットを示す分解斜視図である。
【図７】図７は、上述の照明装置が備える電源装置を示すブロック図である。
【図８】図８は、上述の照明装置が備えるＬＥＤモジュールを示す正面図である。
【図９】図９は、上述のＬＥＤモジュールにレンズブロックが取り付けられた状態を示す正面図である。
【図１０】図１０は、上述のＬＥＤモジュールに取り付けられたレンズブロックを示す側面図である。
【図１１】図１１Ａは、上述の照明器具を示す下方から見た斜視図である。図１１Ｂは、上述の照明器具を示す上方から見た斜視図である。
【発明を実施するための形態】
【００１２】
以下、本発明に係る照明装置の実施形態、並びに本発明に係る照明器具の実施形態について、図面を参照して詳細に説明する。なお、以下に説明する実施形態は、本発明の実施形態の一例にすぎない。本発明は、以下の実施形態に限定されず、本発明の効果を奏することができれば、設計等に応じて種々の変更が可能である。
【００１３】
本実施形態の照明器具１は、図１、図２に示すように、照明装置２と、器具本体９とを備える。器具本体９は、カバー９１と、フレーム９２と、グローブ９３とを備える。器具本体９は、一対の導光部材９４をさらに備えることが好ましい。照明器具１は、造営材（天井仕上げ材）に取り付けられる。なお、照明器具１は、住宅の天井に設置されている引掛シーリングボディ１０１に着脱可能に取り付けられる、所謂シーリングライトである。図１、図２では、カバー９１からグローブ９３に向かう向きが下向きとなり、グローブ９３からカバー９１に向かう向きが上向きとなる。
【００１４】
照明装置２は、図３、図４に示すように、ケース３と、電源ユニット４と、ＬＥＤモジュール５と、２つのレンズブロック６とを備える。
【００１５】
ケース３は、第１ケース３１と、第２ケース３２とを有する。第１ケース３１は、鋼板などの金属板により、下面に開口を有する矩形箱状に形成されている。第２ケース３２は、鋼板などの金属板により矩形板状に形成されている。第１ケース３１の上面の中央には長円形の凹部３１１が形成されており、凹部３１１の中央には円形の孔３１２が上下方向に貫通している。また、第２ケース３２の中央には円形の孔３２１が上下方向に貫通している。さらに、第２ケース３２の長手方向の一端側には、矩形状の貫通孔３２４が上下方向に貫通している。
【００１６】
また、第１ケース３１の下面開口の縁には、長手方向に沿って鍔部３１３が形成されている。また、第２ケース３２の長手方向の縁は下方に折り曲げられており、第２ケース３２は、長手方向に沿った側壁３２２を有している。さらに、側壁３２２の下端には長手方向に沿って鍔部３２３が形成されている。そして、鍔部３２３が鍔部３１３にねじ止めされることによって、第２ケース３２は、第１ケース３１の下面を覆うようにして、第１ケース３１に取り付けられる。つまり、第１ケース３１と第２ケース３２とが互いに結合することによって、長尺の矩形箱状のケース３が構成されている。そして、ケース３の内部に電源ユニット４が収納されている。
【００１７】
このケース３の内部空間は、ケース３の長手方向において、円形の孔３１２より一方の側の空間を第１空間３ａとし、長円形の凹部３１１より他方の側の空間を第２空間３ｂとする。
【００１８】
電源ユニット４は、図５、図６に示すように、取付台４０、ホルダ４１、電源装置４２を有している。
【００１９】
電源装置４２は、商用電源から供給される交流電力（入力電力）を直流の負荷電力に変換し、直流の負荷電力をＬＥＤモジュール５に供給するように構成されている。電源装置４２は、第１回路ブロック４３と、第２回路ブロック４４とを備えている。
【００２０】
第１回路ブロック４３は、商用電源から交流の入力電圧を入力され、入力電圧の整流及び整流電圧の昇圧を行い、昇圧した直流電圧（昇圧電圧）を出力する昇圧回路である力率改善回路４３ａを構成している。そして、第１回路ブロック４３は、プリント配線板である第１電源基板４３１に、半導体スイッチング素子、インダクタ、ダイオード、コンデンサ及び半導体スイッチング素子の駆動回路などの回路部品４３２を実装したプリント回路で実現されている。
【００２１】
第２回路ブロック４４は、降圧回路４４ａ、制御回路４４ｂを有する。降圧回路４４ａは、第１回路ブロック４３が出力する昇圧電圧を降圧してＬＥＤモジュール５に直流の負荷電流を供給する降圧チョッパ回路であり、降圧型のＤＣＤＣコンバータを構成している。
【００２２】
制御回路４４ｂは、コンピュータを有しており、コンピュータがプログラムを実行することで、力率改善回路４３ａ及び降圧回路４４ａの各動作を制御する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイクロコンピュータ（Microcomputer）のいずれであってもよい。記憶用のデバイスには、半導体メモリのようにアクセス時間が短い記憶装置が主に用いられる。プログラムの提供形態としては、コンピュータに読み取り可能な半導体メモリ、光ディスク等の記録媒体に予め格納されている形態、インターネット等を含む広域通信網を介して記録媒体に供給される形態等がある。
【００２３】
第２回路ブロック４４は、プリント配線板である第２電源基板４４１に、半導体スイッチング素子、インダクタ、ダイオード、コンデンサ、半導体スイッチング素子の駆動回路、及び演算処理用の集積回路などの回路部品４４２を実装したプリント回路で実現されている。
【００２４】
取付台４０は、合成樹脂のように電気絶縁性を有する材料により矩形の平板状に形成された絶縁部材である。取付台４０には長円形の貫通孔４０１が上下方向に貫通している。取付台４０の下面における貫通孔４０１の周囲には、下向きに突出する長円筒形状の隔壁４０２が設けられている。
【００２５】
第１回路ブロック４３と第２回路ブロック４４とは、隔壁４０２を挟んで取付台４０の長手方向に沿って並んで配置されており、第１電源基板４３１，第２電源基板４４１が、取付台４０の下面にねじ止めされて取り付けられている。つまり、電源装置４２は、取付台４０の下面に取り付けられている。そして、電源装置４２は、取付台４０が第１ケース３１にねじ止めされることで第１ケース３１に取り付けられてケース３内に収納される。
【００２６】
そして、電源装置４２がケース３内に収納されると、第１回路ブロック４３は、ケース３の長手方向において孔３１２より一方の側の空間である第１空間３ａに収納される。また、第２回路ブロック４４は、ケース３の長手方向において孔３１２より他方の側である第２空間３ｂに収納される。
【００２７】
第１電源基板４３１は矩形板状に形成されており、３つの隅部に挿通孔４３６が形成されている。また、取付台４０の下面において、第１電源基板４３１の配置箇所には、３本の位置決め用の突起４０５ａが突出している。そして、３本の突起４０５ａが３つの挿通孔４３６にそれぞれ挿通されることによって、第１電源基板４３１が取付台４０の下面において位置決めされる。さらに、隔壁４０２の外周側には係止爪４０７ａが形成されている。そして、係止爪４０７ａは、第１電源基板４３１の表面４３３（下面）を押さえることによって、第１電源基板４３１を保持する基板保持部であり、第１電源基板４３１は上下方向の位置決めがなされている。
【００２８】
第２電源基板４４１は矩形板状に形成されており、４つの隅部に挿通孔４４８が形成されている。また、取付台４０の下面において、第２電源基板４４１の配置箇所には、３本の位置決め用の突起４０５ｂが突出している。そして、４つの挿通孔４４８のうち３つの挿通孔４４８を３本の突起４０５ｂにそれぞれ挿通させることによって、第２電源基板４４１が取付台４０の下面において位置決めされる。さらに、隔壁４０２の外周側には係止爪４０７ｂが形成されており、取付台４０の端部には係止爪４０７ｃが形成されている。そして、係止爪４０７ｂ，４０７ｃは、第２電源基板４４１の表面４４３（下面）を押さえることによって、第２電源基板４４１を保持する基板保持部であり、第２電源基板４４１は上下方向の位置決めがなされている。
【００２９】
また、取付台４０の下面において、第１電源基板４３１の裏面４３４（上面）に対向する箇所には、概ね矩形枠形状の凸壁４０９が形成されており、凸壁４０９の内側にシリコーン樹脂等で生成されたサーマルシートを配置している。サーマルシートは、第１電源基板４３１の発熱を取付台４０に伝達することで、第１電源基板４３１を効率よく放熱させる。
【００３０】
第１電源基板４３１の表面４３３（下面）及び裏面４３４（上面）には、回路部品４３２に電気的に接続した導体（銅箔）が形成されている。表面４３３の導体と裏面４３４の導体とは、必要であれば第１電源基板４３１に設けたスルーホールによって互いに電気的に接続される。さらに、第１電源基板４３１の表面４３３には、入力接続部として、レセプタクルコネクタ４３０ａが実装されている。ホルダ４１の筒体４１０には引掛シーリングアダプタ１０２（給電部）（図１、図２参照）が挿入され、レセプタクルコネクタ４３０ａは、引掛シーリングアダプタ１０２の電極に電気的に接続しているプラグコネクタと挿抜可能に電気的且つ機械的に接続される。そして、レセプタクルコネクタ４３０ａは、引掛シーリングアダプタ１０２から交流電力を受け取る。また、レセプタクルコネクタ４３０ａは、第１電源基板４３１の導体に電気的に接続している。隔壁４０２の外側面には、電線保持部４０４ａが設けられている。電線保持部４０４ａは、電線にかかる張力を抑えるために、レセプタクルコネクタ４３０ａに接続されている電線を保持する。なお、交流電力の電圧が入力電圧である。
【００３１】
さらに、第１電源基板４３１の表面４３３には、レセプタクルコネクタ４３５ａが実装されており、レセプタクルコネクタ４３５ａは、第１電源基板４３１の導体に電気的に接続している。レセプタクルコネクタ４３５ａは、レセプタクルコネクタ４３５ａと一対一に対応するプラグコネクタ４３５ｂと挿抜可能に電気的且つ機械的に接続される。なお、１つのレセプタクルコネクタ４３５ａと１つのプラグコネクタ４３５ｂとで１つのコネクタ４３５が構成されている。
【００３２】
プラグコネクタ４３５ｂは、複数の電線４５の一端に電気的且つ機械的に接続されている。複数の電線４５の他端には、プラグコネクタ４４５ｂがそれぞれ電気的且つ機械的に接続されている。プラグコネクタ４４５ｂは、第２電源基板４４１の表面４４３（下面）に実装されているレセプタクルコネクタ４４５ａと挿抜可能に電気的且つ機械的に接続される。第２電源基板４４１の表面４４３及び裏面４４４（上面）には、回路部品４４２に電気的に接続した導体（銅箔）が形成されている。表面４４３の導体と裏面４４４の導体とは、必要であれば第２電源基板４４１に設けたスルーホールによって互いに電気的に接続される。そして、レセプタクルコネクタ４４５ａは、第２電源基板４４１の導体に電気的に接続している。なお、１つのレセプタクルコネクタ４４５ａと１つのプラグコネクタ４４５ｂとで１つのコネクタ４４５が構成されている。隔壁４０２の外側面には、電線保持部４０４ｂが設けられている。電線保持部４０４ｂは、電線にかかる張力を抑えるために複数の電線４５を保持する。
【００３３】
上述のように、第１回路ブロック４３と第２回路ブロック４４とは、複数の電線４５を介して互いに電気的に接続している。本実施形態では４本の電線４５を備えており、４本の電線４５は、直流電圧線、入力検知線、制御線、グランド線をそれぞれ構成する。直流電圧線には、力率改善回路４３ａが出力する直流の昇圧電圧が印加されて、第１回路ブロック４３から第２回路ブロック４４へ直流電力を供給する。入力検知線には、力率改善回路４３ａに入力された交流の入力電圧の整流電圧が印加されて、交流電力の供給が開始されたことを第２回路ブロック４４へ通知する。制御線には、第２回路ブロック４４で生成された制御電圧が印加されて、第２回路ブロック４４から第１回路ブロック４３へ制御電源を供給する。グランド線は、第１電圧線、第２電圧線、及び制御線の電気的なグランドレベルになる。
【００３４】
ここで、図７に示すように、降圧回路４４ａは４つの降圧チョッパ回路ＰＳ１−ＰＳ４を有しており、４つの降圧チョッパ回路ＰＳ１−ＰＳ４は、力率改善回路４３ａが出力する昇圧電圧Ｖ１（直流電圧）を入力され、昇圧電圧Ｖ１をそれぞれの負荷電圧Ｖ２１−Ｖ２４に降圧して出力する。なお、降圧チョッパ回路ＰＳ１は、後述のＬＥＤモジュール５の昼光色のＬＥＤ素子５２ａに直流の負荷電力を供給する。降圧チョッパ回路ＰＳ２は、後述のＬＥＤモジュール５の電球色のＬＥＤ素子５２ｂに直流の負荷電力を供給する。降圧チョッパ回路ＰＳ３は、後述のＬＥＤモジュール５の電球色のＬＥＤ素子５３ａに直流の負荷電力を供給する。降圧チョッパ回路ＰＳ４は、後述のＬＥＤモジュール５の電球色のＬＥＤ素子５３ｂに直流の負荷電力を供給する。
【００３５】
そして、図５、図６に示すように、第２回路ブロック４４では、第２電源基板４４１の表面４４３に２つのレセプタクルコネクタ４４６ａ，４４７ａがさらに実装されている。レセプタクルコネクタ４４６ａは、降圧チョッパ回路ＰＳ１−ＰＳ４がそれぞれ出力する負荷電圧Ｖ２１−Ｖ２４の各正電位に電気的に接続している。レセプタクルコネクタ４４７ａは、降圧チョッパ回路ＰＳ１−ＰＳ４がそれぞれ出力する負荷電圧Ｖ２１−Ｖ２４の各負電位に電気的に接続している。
【００３６】
そして、レセプタクルコネクタ４４６ａは、レセプタクルコネクタ４４６ａと一対一に対応するプラグコネクタ４４６ｂと挿抜可能に電気的且つ機械的にそれぞれ接続される。プラグコネクタ４４６ｂは、複数の電線４６１の一端に電気的且つ機械的に接続されている。また、レセプタクルコネクタ４４７ａは、レセプタクルコネクタ４４７ａと一対一に対応するプラグコネクタ４４７ｂと挿抜可能に電気的且つ機械的にそれぞれ接続される。プラグコネクタ４４７ｂは、複数の電線４６２の一端に電気的且つ機械的に接続されている。なお、１つのレセプタクルコネクタ４４６ａと１つのプラグコネクタ４４６ｂとで１つのコネクタ４４６が構成されている。また、１つのレセプタクルコネクタ４４７ａと１つのプラグコネクタ４４７ｂとで１つのコネクタ４４７が構成されている。
【００３７】
そして、降圧回路４４ａの出力（降圧チョッパ回路ＰＳ１−ＰＳ４の各出力）は、複数の電線４６１、４６２を介してＬＥＤモジュール５と電気的に接続される。
【００３８】
ホルダ４１は、引掛シーリングアダプタ１０２を支持する筒体４１０と、筒体４１０と一体に形成された固定板４１１とを有している。固定板４１１は、合成樹脂によって円形の平板状に形成されている。固定板４１１の中央には円形の孔が貫通している。筒体４１０は、合成樹脂によって円筒形に形成されている。筒体４１０は、固定板４１１の下面における孔の周縁から下向きに突出するように固定板４１１と一体に形成されている。ホルダ４１の固定板４１１は、取付台４０にねじ止めされる。ホルダ４１の筒体４１０は、固定板４１１が取付台４０にねじ止めされている状態で隔壁４０２の内側に配置される。隔壁４０２の長円柱形状の内部空間は長円柱形状の挿入空間４０３であり、ホルダ４１の筒体４１０は、挿入空間４０３に配置されている。
【００３９】
電源ユニット４は、取付台４０が第１ケース３１にねじ止めされることで第１ケース３１に取り付けられてケース３内に収納される。取付台４０の隔壁４０２の下端が第２ケース３２の孔３２１に挿入される。そして、ホルダ４１の筒体４１０に引掛シーリングアダプタ１０２が挿入される。言い換えると、給電部に相当する引掛シーリングアダプタ１０２が隔壁４０２内の挿入空間４０３に挿入されている。
【００４０】
そして、引掛シーリングアダプタ１０２は、天井に設置されている引掛シーリングボディ１０１に着脱可能に取り付けられる。電源ユニット４が収納されているケース３は、引掛シーリングアダプタ１０２に着脱可能に取り付けられる。つまり、ケース３は、引掛シーリングアダプタ１０２を介して引掛シーリングボディ１０１に着脱可能に取り付けられ、引掛シーリングアダプタ１０２を介して引掛シーリングボディ１０１に支持される。但し、引掛シーリングボディ１０１及び引掛シーリングアダプタ１０２は従来周知であるから、詳細な構成の図示及び説明を省略する。
【００４１】
電源装置４２の概略動作について、図７を用いて説明する。
【００４２】
力率改善回路４３ａは、入力回路４３ｂ、昇圧チョッパ回路４３ｃを備える。入力回路４３ｂは、力率改善回路４３ａに入力された交流の入力電圧Ｖａｃを全波整流し、昇圧チョッパ回路４３ｃへ整流電圧Ｖｒを出力する。昇圧チョッパ回路４３ｃは、整流電圧Ｖｒを昇圧し、この昇圧した直流電圧である昇圧電圧Ｖ１を降圧回路４４ａへ出力する。
【００４３】
降圧回路４４ａは、４つの降圧チョッパ回路ＰＳ１−ＰＳ４を有している。４つの降圧チョッパ回路ＰＳ１−ＰＳ４は、力率改善回路４３ａが出力する昇圧電圧Ｖ１を入力され、昇圧電圧Ｖ１をそれぞれ降圧し、降圧した直流電圧である負荷電圧Ｖ２１−Ｖ２４をそれぞれ出力する。
【００４４】
制御回路４４ｂは、制御電源ＣＰ１と、制御ブロックＣＢ１とを備える。制御電源ＣＰ１は、電源装置４２を駆動させるための制御電圧Ｖｃを生成する。制御ブロックＣＢ１は、ＣＰＵ、ＭＰＵ、またはマイコンなどのコンピュータと、ブザー、常夜灯用のＬＥＤ素子、赤外線受光素子などの周辺回路とを備える。
【００４５】
そして、第１回路ブロック４３の力率改善回路４３ａに入力電圧Ｖａｃが入力されると、交流電力の供給開始を通知する通知信号として、力率改善回路４３ａから第２回路ブロック４４へ整流電圧Ｖｒが出力される。第２回路ブロック４４では、制御電源ＣＰ１が整流電圧Ｖｒから制御電圧Ｖｃを生成し、この制御電圧ＶｃをＩＮＴ信号Ｓ１として、制御ブロックＣＢ１へ出力する。ＩＮＴ信号Ｓ１を受信した制御ブロックＣＢ１のコンピュータは、制御電圧Ｖｃを供給されて、動作を開始する。そして、制御ブロックＣＢ１のコンピュータは、制御電源ＣＰ１から第１回路ブロック４３へ制御電圧Ｖｃを供給させる。制御電圧Ｖｃを供給された第１回路ブロック４３では、力率改善回路４３ａが起動して昇圧動作を開始し、力率改善回路４３ａは、第２回路ブロック４４へ昇圧電圧Ｖ１を出力する。そして、制御ブロックＣＢ１のコンピュータは、降圧チョッパ回路ＰＳ１−ＰＳ４の各動作を制御する。
【００４６】
制御ブロックＣＢ１のコンピュータは、降圧チョッパ回路ＰＳ１へ調光信号Ｓ１１を出力して負荷電圧Ｖ２１を制御することによって、昼光色のＬＥＤ素子５２ａの点灯、消灯、調光などを制御する。また、制御ブロックＣＢ１のコンピュータは、降圧チョッパ回路ＰＳ２−ＰＳ４へ制御信号Ｓ１２を出力して負荷電圧Ｖ２２−Ｖ２４をそれぞれ制御することによって、電球色のＬＥＤ素子５２ｂ，５３ａ，５３ｂのそれぞれの点灯、消灯などを制御する。
【００４７】
上述のように、電源装置４２がケース３内に収納されると、第１回路ブロック４３は、第１空間３ａに収納される。また、第２回路ブロック４４は、第２空間３ｂに収納される。すなわち、第１電源基板４３１は、ケース３の長手方向の一端側にある第１空間３ａに収納されており、第２電源基板４４１はケース３の長手方向の他端側にある第２空間３ｂに収納されている。
【００４８】
そして、電源装置４２がケース３内に収納されると、第１空間３ａと第２空間３ｂとは、ケース３内において挿入空間４０３を間に挟んで位置している。言い換えると、第１電源基板４３１と第２電源基板４４１とは、ケース３内において挿入空間４０３を間に挟んで位置している。そして、第１電源基板４３１は、昇圧回路である力率改善回路４３ａを備えており、力率改善回路４３ａは、動作時の発熱量が大きくなる傾向にある。また、第２電源基板４４１は、降圧回路４４ａを備えており、降圧回路４４ａは、動作時の発熱量が大きくなる傾向にある。力率改善回路４３ａ及び降圧回路４４ａの各発熱は、照明装置２の温度上昇の要因になる。
【００４９】
そこで、本実施形態では、１つの電源基板に第１回路ブロック４３及び第２回路ブロック４４を構成せずに、第１回路ブロック４３及び第２回路ブロック４４を、２つの電源基板（第１電源基板４３１及び第２電源基板４４１）でそれぞれ構成している。すなわち、電源装置４２を２つの電源基板（第１電源基板４３１及び第２電源基板４４１）で構成している。そして、第１電源基板４３１を第１空間３ａに配置し、第２電源基板４４１を第２空間３ｂに配置することで、第１電源基板４３１と第２電源基板４４１との間には挿入空間４０３が存在している。したがって、挿入空間４０３によって、第１電源基板４３１と第２電源基板４４１との間の熱結合が、電源装置４２を１つの電源基板で構成した場合に比べて弱くなる。この結果、電源装置４２は、力率改善回路４３ａ及び降圧回路４４ａの発熱による温度上昇（特に局所的な温度上昇）を抑制することができ、照明装置２の温度上昇を抑えることができる。
【００５０】
また、電源装置４２を２つの電源基板（第１電源基板４３１及び第２電源基板４４１）で構成したことによって、電源装置４２を１つの電源基板で構成した場合に比べて、電源基板の反りの発生を抑えることができる。
【００５１】
また、第１空間３ａは、概ね矩形体状の空間であり、平面視において第１電源基板４３１より大きい空間である。本実施形態では、第１空間３ａにおいて、第１電源基板４３１を挿入空間４０３寄りに配置している。第２空間３ｂは、概ね矩形体状の空間であり、平面視において第２電源基板４４１とほぼ同じ大きさである。本実施形態では、第２電源基板４４１において、降圧回路４４ａと制御回路４４ｂとが第２電源基板４４１の長手方向に沿って並んで形成されている。そして、第２電源基板４４１を第２空間３ｂに配置した場合、降圧回路４４ａは制御回路４４ｂより挿入空間４０３に近くなり、制御回路４４ｂは降圧回路４４ａより挿入空間４０３から遠くなる。したがって、第１電源基板４３１と第２電源基板４４１とを電気的に接続する複数の電線４５の線長を短くできる。この結果、複数の電線４５によって伝達される電圧及び電気信号に対して、電源装置４２の動作時に発生するノイズが与える影響を抑えることができる。また、制御回路４４ｂを力率改善回路４３ａからできるだけ離すことができるので、力率改善回路４３ａのノイズが制御回路４４ｂに与える影響を抑えることができる。さらに、制御回路４４ｂを挿入空間４０３からできるだけ離すことができるので、給電部である引掛シーリングアダプタ１０２から発せられるノイズが制御回路４４ｂに与える影響を抑えることができる。
【００５２】
また、レセプタクルコネクタ４３５ａは、第１電源基板４３１上の挿入空間４０３に近い位置に実装されている。レセプタクルコネクタ４４５ａは、第２電源基板４４１上の挿入空間４０３に近い位置に実装されている。この結果、第１電源基板４３１と第２電源基板４４１とを電気的に接続する複数の電線４５の線長をより短くできる。
【００５３】
また、力率改善回路４３ａ及び降圧回路４４ａは、トランス、平滑コンデンサなどの高さ寸法が比較的大きい回路部品４３２，４４２を有している。本実施形態では、力率改善回路４３ａ及び降圧回路４４ａを挿入空間４０３の周辺に配置しているので、ケース３の中央付近に高さ寸法が比較的大きい回路部品４３２，４４２が集中する。この結果、照明装置２は、ケース３の長手方向の両端において上下方向の寸法（高さ寸法）を抑えることができ、設計の自由度も高くなる。
【００５４】
また、第１電源基板４３１及び第２電源基板４４１は、１つの絶縁部材である取付台４０にそれぞれ取り付けられている。したがって、第１電源基板４３１及び第２電源基板４４１を別々の絶縁部材に取り付ける場合に比べて、照明装置２の構成を簡略化できる。
【００５５】
また、取付台４０は、係止爪４０７ａ，４０７ｂ，４０７ｃを備えている。そして、係止爪４０７ａ，４０７ｂ，４０７ｃは、第１電源基板４３１及び第２電源基板４４１を保持して、第１電源基板４３１及び第２電源基板４４１の上下方向の位置決めをしている。したがって、取付台４０は、係止爪４０７ａ，４０７ｂ，４０７ｃを備えることによって、第１電源基板４３１及び第２電源基板４４１の保持構造を簡略化できる。
【００５６】
以下、ＬＥＤモジュール５について、図３、図４、図８を用いて説明する。
【００５７】
ＬＥＤモジュール５は、電源装置４２から負荷電力を供給されて点灯する光源であり、２つのＬＥＤ基板５１と、各ＬＥＤ基板５１の実装面５１ａ（下面）に実装される複数のＬＥＤ素子５２とを備えている。ＬＥＤ基板５１は、概ね長尺の矩形状に形成されている。なお、２つのＬＥＤ基板５１は同一の形状及び寸法に形成されている。２つのＬＥＤ基板５１は、例えば、ガラス布基材エポキシ樹脂基板で形成されている。
【００５８】
２つのＬＥＤ基板５１は、それぞれの長手方向の第１端５１ｂが互いに対向するように配置されている。第１端５１ｂの中央には半円形状の切り欠き５１ｃが形成されている。そして、２つのＬＥＤ基板５１のそれぞれの第１端５１ｂが互いに対向することによって、２つのＬＥＤ基板５１の各切り欠き５１ｃが１つの円形状の貫通孔５１ｄを形成している。また、ＬＥＤ基板５１の長手方向の第２端５１ｅ（第１端５１ｂとは反対の端）の中央には、ＬＥＤ基板５１の長手方向に沿って、概ね矩形状の切り欠き５１ｆが形成されている。
【００５９】
各ＬＥＤ基板５１の実装面５１ａでは、第１端５１ｂからＬＥＤ基板５１の長手方向に沿って、切り欠き５１ｃの半円形の縁を含む略矩形の長尺状の領域が実装領域５１ｇになる。すなわち、第１端５１ｂの一部が実装領域５１ｇの外縁の一部となる。言い換えると、実装領域５１ｇの外縁は、切り欠き５１ｃの半円形の縁を含んでいる。そして、複数のＬＥＤ素子５２は、実装領域５１ｇにおいて、ＬＥＤ基板５１の長手方向に沿って並ぶように、４列に実装されている。複数のＬＥＤ素子５２は、４列となるように実装されているが、３列以下若しくは５列以上となるように実装されてもよい。本実施形態では、複数のＬＥＤ素子５２は、昼光色のＬＥＤ素子５２ａ、及び電球色のＬＥＤ素子５２ｂを含んでいる。
【００６０】
すなわち、ＬＥＤモジュール５は、２つの実装領域５１ｇを備えており、２つの実装領域５１ｇは、ＬＥＤ基板５１の長手方向において、円形状の貫通孔５１ｄを挟んで互いに対向している。
【００６１】
実装領域５１ｇは、さらに第１領域５１１ｇ、第２領域５１２ｇに分けられている。
【００６２】
第１領域５１１ｇは、実装領域５１ｇにおいて第１端５１ｂ側の領域であり、切り欠き５１ｃの半円形の縁（実装領域５１ｇの外縁の一部）を含む領域である。そして、第１領域５１１ｇには、複数のＬＥＤ素子５２の各列において、第１端５１ｂから１番目と２番目に位置する各ＬＥＤ素子５２（第１ＬＥＤ素子５２１）が実装されている。本実施形態では、８個の第１ＬＥＤ素子５２１を備える。なお、第１ＬＥＤ素子５２１は、第１固体発光素子に相当する。
【００６３】
第２領域５１２ｇは、実装領域５１ｇにおいて第１領域５１１ｇ以外の第２端５１ｅ側の領域であり、複数のＬＥＤ素子５２の各列において、第１端５１ｂから３番目以降に位置する各ＬＥＤ素子５２（第２ＬＥＤ素子５２２）が実装されている。なお、第２ＬＥＤ素子５２２は、第２固体発光素子に相当する。
【００６４】
さらに、各ＬＥＤ基板５１の実装面５１ａでは、一方の側縁に、複数の電球色のＬＥＤ素子５３ａが長手方向に並んで実装されている。また、各ＬＥＤ基板５１の実装面５１ａでは、他方の側縁に、複数の電球色のＬＥＤ素子５３ｂが長手方向に並んで実装されている。
【００６５】
各ＬＥＤ基板５１には、４つの第１位置決め孔５１ｈ、４つの第２位置決め孔５１ｉ、２つの第３位置決め孔５１ｊが形成されている。第１位置決め孔５１ｈ，第２位置決め孔５１ｉ、第３位置決め孔５１ｊは、ＬＥＤ基板５１を厚み方向にそれぞれ貫通している。
【００６６】
そして、ＬＥＤ基板５１の実装面５１ａ（下面）及び裏面５１ｍ（上面）には、複数のＬＥＤ素子５２ａ，５２ｂ，５３ａ，５３ｂに電気的に接続した導体（銅箔）が形成されている。実装面５１ａの導体と裏面５１ｍの導体とは、必要であればＬＥＤ基板５１に設けたスルーホールによって互いに電気的に接続してもよい。
【００６７】
そして、ＬＥＤ基板５１は、４つの第１位置決め孔５１ｈにそれぞれ挿入されたねじによって、第２ケース３２の下面に取り付けられる。
【００６８】
さらに、ＬＥＤ基板５１の実装面５１ａには、レセプタクルコネクタ５４１ａ、及びレセプタクルコネクタ５４２ａがそれぞれ実装されている。レセプタクルコネクタ５４１ａとレセプタクルコネクタ５４２ａとは、実装領域５１ｇを挟んでＬＥＤ基板５１の短手方向に並んで配置されている。レセプタクルコネクタ５４１ａ，５４２ａは、ＬＥＤ基板５１の導体に電気的にそれぞれ接続している。
【００６９】
まず、レセプタクルコネクタ５４１ａは、レセプタクルコネクタ５４１ａと一対一に対応するプラグコネクタ５４１ｂと挿抜可能に電気的且つ機械的に接続される。２つのプラグコネクタ５４１ｂは、複数の電線５４によって電気的に互いに接続されており、２つのＬＥＤ基板５１は、複数の電線５４を介して互いに電気的に接続している。なお、１つのレセプタクルコネクタ５４１ａと１つのプラグコネクタ５４１ｂとで１つのコネクタ５４１が構成されている。
【００７０】
本実施形態では、４本の電線５４を備えている。そして、一方のＬＥＤ基板５１に実装されている複数のＬＥＤ素子５２ａ，５２ｂ，５３ａ，５３ｂと、他方のＬＥＤ基板５１に実装されている複数のＬＥＤ素子５２ａ，５２ｂ，５３ａ，５３ｂとは、４本の電線５４によってそれぞれ電気的に直列接続される。すなわち、２つのＬＥＤ基板５１に実装されている複数のＬＥＤ素子５２ａは電気的に直列接続し、２つのＬＥＤ基板５１に実装されている複数のＬＥＤ素子５２ｂは電気的に直列接続している。さらに、２つのＬＥＤ基板５１に実装されている複数のＬＥＤ素子５３ａは電気的に直列接続し、２つのＬＥＤ基板５１に実装されている複数のＬＥＤ素子５３ｂは電気的に直列接続している。
【００７１】
そして、２つのＬＥＤ基板５１のうち、一方のＬＥＤ基板５１のレセプタクルコネクタ５４２ａは、複数の電線４６１が接続しているプラグコネクタ５４２ｂと挿抜可能に電気的且つ機械的に接続している。２つのＬＥＤ基板５１のうち、他方のＬＥＤ基板５１のレセプタクルコネクタ５４２ａは、複数の電線４６２が接続しているプラグコネクタ５４２ｂと挿抜可能に電気的且つ機械的に接続している。なお、１つのレセプタクルコネクタ５４２ａと１つのプラグコネクタ５４２ｂとで１つのコネクタ５４２が構成されている。
【００７２】
すなわち、２つのＬＥＤ基板５１のうち、一方のＬＥＤ基板５１は、複数の電線４６１を介して、降圧チョッパ回路ＰＳ１−ＰＳ４がそれぞれ出力する負荷電圧Ｖ２１−Ｖ２４の各正電位に電気的に接続する。他方のＬＥＤ基板５１は、複数の電線４６２を介して、降圧チョッパ回路ＰＳ１−ＰＳ４がそれぞれ出力する負荷電圧Ｖ２１−Ｖ２４の各負電位に電気的に接続する。すなわち、降圧チョッパ回路ＰＳ１−ＰＳ４のそれぞれは、電線４６１、一方のＬＥＤ基板５１、電線５４、他方のＬＥＤ基板５１、電線４６２を経由する各閉ループに負荷電流を流すことができる。
【００７３】
以下、レンズブロック６について、図９を用いて説明する。
【００７４】
２つのレンズブロック６は、概ね矩形板状のベース６０と、複数のレンズ６１とをそれぞれ有している。複数のレンズ６１は、ベース６０の下面６０ｅにおいてベース６０の長手方向に沿って並ぶように、４列に実装されている。ベース６０と複数のレンズ６１とは、ガラス又は透光性を有する合成樹脂（アクリル樹脂若しくはポリカーボネート樹脂）の成形体によって一体に形成されることが好ましい。ベース６０は、両側縁の各中央から外側方向に突出した一対の三角形状のリブ６０１が形成されており、リブ６０１の下面には円柱形状の位置決め用の突起６０２が上方向に突出している。そして、２つの突起６０２が、ＬＥＤ基板５１に形成されている２つの第３位置決め孔５１ｊに一対一にかん合することで、レンズブロック６はＬＥＤ基板５１と位置決めされる。
【００７５】
ベース６０の長手方向の第１端６０ａには、円弧状の切り欠き６０ｂが形成されている。さらに、ベース６０の長手方向の第２端６０ｃ（第１端６０ａとは反対の端）には、概ね矩形状の透光窓６０ｄが形成されている。そして、上述の位置決め後のレンズブロック６は、円弧状の切り欠き６０ｂがＬＥＤ基板５１の半円形状の切り欠き５１ｃの縁に沿うように、ＬＥＤ基板５１の実装面５１ａ上に配置されている。したがって、２つのレンズブロック６は、それぞれの第１端６０ａが互いに対向するように、２つのＬＥＤ基板５１にそれぞれ取り付けられる。
【００７６】
また、透光窓６０ｄはＬＥＤ基板５１の切り欠き５１ｆに対向している。そして、２つのレンズブロック６のうち、一方のレンズブロック６の透光窓６０ｄは、切り欠き５１ｆ、及び貫通孔３２４を介して、電源ユニット４の制御回路４４ｂに対向している。
【００７７】
そして、レンズ６１は、ＬＥＤ素子５２に一対一に対向しており、ＬＥＤ基板５１の実装領域５１ｇの下方に設けられている。
【００７８】
複数のレンズ６１は、複数（本実施形態では８個）の集光レンズ６１１と、複数（集光レンズ６１１の数より多い）の拡散レンズ６１２とを含む。８個の集光レンズ６１１は、ベース６０の第１端６０ａ側に位置し、複数の拡散レンズ６１２は、ベース６０の第２端６０ｃ側に位置している。そして、８個の集光レンズ６１１は、８個の第１ＬＥＤ素子５２１にそれぞれ対向している。また、複数の拡散レンズ６１２は、複数の第２ＬＥＤ素子５２２にそれぞれ対向している。
【００７９】
さらに、８個の集光レンズ６１１は、４個の第１集光レンズ６１１ａと、４個の第２集光レンズ６１１ｂとに分けられる。４個の第１集光レンズ６１１ａは、８個の集光レンズ６１１の各列において、第１端５１ｂから１番目に位置する集光レンズ６１１である。４個の第２集光レンズ６１１ｂは、８個の集光レンズ６１１の各列において、第１端５１ｂから２番目に位置する集光レンズ６１１である。すなわち、４個の第１集光レンズ６１１ａは、４個の第２集光レンズ６１１ｂよりもベース６０の第１端６０ａに近く、円弧状の切り欠き６０ｂに沿って円弧状に配置されている。４個の第２集光レンズ６１１ｂは、４個の第１集光レンズ６１１ａよりもベース６０の第２端６０ｃ寄りに位置し、４個の第１集光レンズ６１１ａの隣で円弧状に配置されている。
【００８０】
複数の拡散レンズ６１２は、４個の第２集光レンズ６１１ｂよりも、ベース６０の第１端６０ａから遠くに位置しており、ベース６０の第２端６０ｃ寄りに位置する。
【００８１】
以下、レンズ６１の配光特性について、図１０を用いて説明する。
【００８２】
第１集光レンズ６１１ａは、ベース６０の下面において下方へ突出した凸形状であり、概ね液滴形状に形成されている。具体的に、第１集光レンズ６１１ａの表面は曲面であり、ベース６０の短手方向から見た第１集光レンズ６１１ａの表面は、第１端６０ａ側の曲率が第２端６０ｃ側の曲率より小さい。すなわち、第１集光レンズ６１１ａにおいて、第１端６０ａ側の表面の立ち上がりは第２端６０ｃ側の表面の立ち上がりより急峻であり、第２端６０ｃ側の表面はなだらかに立ち上がっている。言い換えると、第１集光レンズ６１１ａの表面において、集光方向の側の曲率は集光方向の反対側の曲率より小さい。
【００８３】
そして、上述の第１集光レンズ６１１ａは、レンズ表面の立ち上がりより急峻である第１端６０ａ側に光を集光させる配光特性を有している。したがって、第１集光レンズ６１１ａから出射する光は、第１端６０ａ側に集光され、第１集光レンズ６１１ａによって第１端６０ａ側に配光される光量は、第１集光レンズ６１１ａによって第２端６０ｃ側に配光される光量よりも多くなる。すなわち、第１集光レンズ６１１ａの集光方向は、ベース６０の長手方向において、第１端６０ａに向かう方向になる。
【００８４】
次に、第２集光レンズ６１１ｂは、ベース６０の下面において下方へ突出した凸形状であり、ベース６０の下面において概ね液滴形状に形成されている。具体的に、第２集光レンズ６１１ｂの表面は曲面であり、ベース６０の短手方向から見た第２集光レンズ６１１ｂの表面は、第１端６０ａ側の曲率が第２端６０ｃ側の曲率より小さい。すなわち、第２集光レンズ６１１ｂにおいて、第１端６０ａ側の表面の立ち上がりは第２端６０ｃ側の表面の立ち上がりより急峻であり、第２端６０ｃ側の表面はなだらかに立ち上がっている。言い換えると、第２集光レンズ６１１ｂの表面において、集光方向の側の曲率は集光方向の反対側の曲率より小さい。
【００８５】
そして、上述の第２集光レンズ６１１ｂは、レンズ表面の立ち上がりより急峻である第１端６０ａ側に光を集光させる配光特性を有している。したがって、第２集光レンズ６１１ｂから出射する光は、第１端６０ａ側に集光され、第２集光レンズ６１１ｂによって第１端６０ａ側に配光される光量は、第２集光レンズ６１１ｂによって第２端６０ｃ側に配光される光量よりも多くなる。すなわち、第２集光レンズ６１１ｂの集光方向は、ベース６０の長手方向において、第１端６０ａに向かう方向になる。
【００８６】
そして、第１集光レンズ６１１ａと第２集光レンズ６１１ｂとを比較すると、第１集光レンズ６１１ａの表面における第１端６０ａ側の曲率が、第２集光レンズ６１１ｂの表面における第１端６０ａ側の曲率より小さい。すなわち、第１集光レンズ６１１ａの第１端６０ａ側の表面の立ち上がりは、第２集光レンズ６１１ｂの第１端６０ａ側の表面の立ち上がりより急峻である。この結果、第１集光レンズ６１１ａの集光方向は、第２集光レンズ６１１ｂの集光方向よりも下向きになる。
【００８７】
次に、拡散レンズ６１２は、ベース６０の下面において下方へ突出した凸形状であり、ベース６０の下面において円盤形状に形成されている。さらに、第２集光レンズ６１１ｂの上方において、ベース６０の上面には凹部６１２１が形成されており、凹部６１２１内に第２ＬＥＤ素子５２２が収納されている。凹部６１２１は、ベース６０の短手方向から見た場合に、曲率が線対称となる山形形状に形成されている。
【００８８】
そして、上述の拡散レンズ６１２は、拡散レンズ６１２の周囲にほぼ均等に光を拡散させる配光特性を有している。したがって、第２ＬＥＤ素子５２２が発する光は、拡散レンズ６１２の周囲にほぼ均等に拡散している。
【００８９】
上述の２つのＬＥＤ基板５１のそれぞれの第１端５１ｂは互いに対向している。そして、２つのＬＥＤ基板５１にそれぞれ設けられたレンズブロック６の集光レンズ６１１は、平面視において第１端５１ｂに向かう方向に集光している。すなわち、２つのレンズブロック６のうち、一方のレンズブロック６が有する集光レンズ６１１の集光方向と他方のレンズブロック６が有する集光レンズ６１１の集光方向とは、ＬＥＤ基板５１の長手方向において互いに逆方向になっている。したがって、２つのＬＥＤ基板５１にそれぞれ設けられたレンズブロック６の集光レンズ６１１は、平面視において貫通孔５１ｄに向かう方向に集光させている。
【００９０】
そして、上述の照明装置２が器具本体９に取り付けられることで、図１１Ａ、図１１Ｂに示す照明器具１が構成される。器具本体９は、カバー９１、フレーム９２、グローブ９３、及び一対の導光部材９４を有する。
【００９１】
照明装置２のケース３の下面にはフレーム９２がねじ止めされる。フレーム９２は、矩形枠形状のメインフレーム９２ａと、メインフレーム９２ａの長手方向に沿った一対のサイドフレームの中央を短手方向に連結する補強フレーム９２ｂとを備える。そして、メインフレーム９２ａの長手方向の縁において上方に突出している突起が、ＬＥＤ基板５１の位置決め孔５１ｉにかん合することで、フレーム９２はＬＥＤ基板５１と位置決めされる。
【００９２】
また、メインフレーム９２ａの長手方向に沿った一対のサイドフレームには導光部材９４がそれぞれねじ止めされる。導光部材９４は、図１、図２に示すように、導光パネル９４ａと、ガイド部９４ｂと、複数（図示例では４つ）の取付片９４ｃとを有している。導光パネル９４ａ、ガイド部９４ｂ及び複数の取付片９４ｃは、アクリル樹脂又はポリカーボネート樹脂などの透光性を有する合成樹脂によって形成されることが好ましい。そして、取付片９４ｃがメインフレーム９２ａにねじ止めされる。
【００９３】
導光部材９４がメインフレーム９２ａにねじ止めされると、ガイド部９４ｂの上方にはＬＥＤ素子５３ａが位置している。ガイド部９４ｂは光を反射する反射板を有しており、ＬＥＤ素子５３ａが発した光は、ガイド部９４ｂを通って導光パネル９４ａ内に導かれ、導光パネル９４ａから出射する。
【００９４】
また、２つのレンズブロック６のうち、一方のレンズブロック６の透光窓６０ｄの上面には角筒状の筒体３２５が配置されており、筒体３２５は、切り欠き５１ｆ、及び貫通孔３２４内に収納されている。そして、一方のレンズブロック６の透光窓６０ｄは、筒体３２５を介して、電源ユニット４の制御回路４４ｂに対向している。具体的に、一方のレンズブロック６の透光窓６０ｄには、制御回路４４ｂが備えている常夜灯用のＬＥＤ素子、赤外線受光素子が対向している。つまり、常夜灯の放射する光が透光窓６０ｄを通して照明装置２の下方に照射される。また、赤外線受光素子は、透光窓６０ｄを通して、赤外線式のリモートコントローラから送信される赤外線信号を受信することができる。なお、照明装置２は、赤外線受光素子で受信する赤外線信号に含まれるコマンドに応じて、ＬＥＤモジュール５の点灯制御を行うことが好ましい。
【００９５】
さらにフレーム９２の下面には矩形状の平板のグローブ９３が取り付けられる。メインフレーム９２ａは、長手方向に沿ったサイドフレームに取付具９５を備えている。そして、グローブ９３は、アクリルなどの透光性を有する合成樹脂材料により、上面が開口する矩形箱状に形成され、取付具９５を介してフレーム９２の下面側に取り付けられる。また、グローブ９３は、照明装置２から出射される光を拡散する拡散構造を有している。なお、拡散構造は、例えば、グローブ９３の表面に形成される白色の塗膜や、グローブ９３を形成する合成樹材料に混入される拡散材、あるいはグローブ９３の表面に形成される凹凸などで実現される。このようにグローブ９３に拡散構造が設けられているため、照明空間に照射される光の均斉度をさらに向上させることができる。
【００９６】
また、ケース３の上面には、カバー９１がねじ止めされる。カバー９１は、下面を開口した矩形箱状に形成されており、上面には凹部３１１を露出させるための開口９１１を有する。さらに、カバー９１の上面には、弾性を有する一対の保護部材９１２が設けられている。
【００９７】
本実施形態では、本発明の技術思想を天井直付け形の照明器具（所謂シーリングライト）に適用している。但し、本発明の技術思想が適用可能な照明器具はシーリングライトに限定されるものではなく、吊り下げ形（所謂ペンダント形）の照明器具、または埋込型の照明器具（所謂ダウンライト）などにも適用可能である。
【００９８】
以上のように、実施形態に係る第１の態様の照明装置２は、ＬＥＤモジュール５（光源）に負荷電力を供給してＬＥＤモジュール５を点灯させる電源装置４２と、電源装置４２が収納されるケース３と、を備える。ケース３内には、電源装置４２に外部からの入力電力を供給する引掛シーリングアダプタ１０２（給電部）が挿入される挿入空間４０３がある。電源装置４２は、挿入空間４０３を挟んでケース３内に収納されている第１電源基板４３１及び第２電源基板４４１を有している。第１電源基板４３１は、引掛シーリングアダプタ１０２から入力電圧Ｖａｃを受け取るレセプタクルコネクタ４３０ａ（入力接続部）と、入力電圧Ｖａｃを昇圧した昇圧電圧Ｖ１を第２電源基板４４１へ出力する力率改善回路４３ａ（昇圧回路）とを備える。第２電源基板４４１は、昇圧電圧Ｖ１を降圧した負荷電圧Ｖ２１−Ｖ２４をＬＥＤモジュール５に出力する降圧回路４４ａを備える。
【００９９】
上述の照明装置２では、第１電源基板４３１を第１空間３ａに配置し、第２電源基板４４１を第２空間３ｂに配置することで、第１電源基板４３１と第２電源基板４４１との間には挿入空間４０３が存在している。したがって、挿入空間４０３によって、第１電源基板４３１と第２電源基板４４１との間の熱結合が、電源装置４２を１つの電源基板で構成した場合に比べて弱くなる。この結果、照明装置２は、電源装置４２の発熱による温度上昇（特に局所的な温度上昇）を抑制することができる。
【０１００】
また、実施形態に係る第２の態様の照明装置２では、第１の態様において、第２電源基板４４１は、力率改善回路４３ａ（昇圧回路）及び降圧回路４４ａを制御する制御回路４４ｂをさらに備えることが好ましい。
【０１０１】
上述の照明装置２では、ノイズが制御回路４４ｂに与える影響を抑えることができる。
【０１０２】
また、実施形態に係る第３の態様の照明装置２では、第２の態様において、ケース３内において挿入空間４０３を挟んで位置する第１空間３ａ及び第２空間３ｂのうち、第１空間３ａには第１電源基板４３１が収納される。また、第２空間３ｂには第２電源基板４４１が収納されている。そして、第１電源基板４３１は第１空間３ａにおいて挿入空間４０３寄りに配置され、第２電源基板４４１は、力率改善回路４３ａ（昇圧回路）が制御回路４４ｂよりも挿入空間４０３に近くなるように配置されていることが好ましい。
【０１０３】
上述の照明装置２では、第１電源基板４３１と第２電源基板４４１との物理的な距離を短くできる。この結果、第１電源基板４３１と第２電源基板４４１と間で伝達される電圧及び電気信号に対して、電源装置４２の動作時に発生するノイズが与える影響を抑えることができる。また、制御回路４４ｂを力率改善回路４３ａからできるだけ離すことができるので、力率改善回路４３ａのノイズが制御回路４４ｂに与える影響を抑えることができる。さらに、制御回路４４ｂを挿入空間４０３からできるだけ離すことができるので、給電部である引掛シーリングアダプタ１０２から発せられるノイズが制御回路４４ｂに与える影響を抑えることができる。
【０１０４】
また、実施形態に係る第４の態様の照明装置２では、第１乃至第３の態様のいずれか一つにおいて、ケース３は長尺状に形成されている。そして、第１電源基板４３１は、ケース３の長手方向の一端側に収納され、第２電源基板４４１は、ケース３の長手方向の他端側に収納されていることが好ましい。
【０１０５】
上述の照明装置２では、複数のＬＥＤ素子５２による発光面が長尺状である場合に、電源装置４２の発熱による温度上昇（特に局所的な温度上昇）を抑制することができる。
【０１０６】
また、実施形態に係る第５の態様の照明装置２では、第１乃至第４の態様のいずれか一つにおいて、第１電源基板４３１及び第２電源基板４４１は、板状に形成された電気絶縁性を有する１つの取付台４０（絶縁部材）に取り付けられることが好ましい。
【０１０７】
上述の照明装置２では、第１電源基板４３１及び第２電源基板４４１を別々の絶縁部材に取り付ける場合に比べて、照明装置２の構成を簡略化できる。
【０１０８】
また、実施形態に係る第６の態様の照明装置２では、第５の態様において、取付台４０（絶縁部材）は、第１電源基板４３１及び第２電源基板４４１を保持する係止爪４０７ａ，４０７ｂ，４０７ｃ（基板保持部）を有することが好ましい。
【０１０９】
上述の照明装置２では、第１電源基板４３１及び第２電源基板４４１の保持構造を簡略化できる。
【０１１０】
さらに、実施形態に係る第７の態様の照明器具１は、第１乃至第６の形態のいずれか一つの照明装置２と、照明装置２が取り付けられた器具本体９とを備える。
【０１１１】
上述の照明器具１は、電源装置４２の発熱による温度上昇（特に局所的な温度上昇）を抑制することができる。
【符号の説明】
【０１１２】
１  照明器具
２  照明装置
３  ケース
３ａ  第１空間
３ｂ  第２空間
４  電源ユニット
４０  取付台（絶縁部材）
４０３  挿入空間
４０７ａ  係止爪（基板保持部）
４０７ｂ  係止爪（基板保持部）
４０７ｃ  係止爪（基板保持部）
４２  電源装置
４３  第１回路ブロック
４３ａ  力率改善回路（昇圧回路）
４３０ａ  レセプタクルコネクタ（入力接続部）
４３１  第１電源基板
４４  第２回路ブロック
４４ａ  降圧回路
４４ｂ  制御回路
４４１  第２電源基板
５  ＬＥＤモジュール（光源）
９  器具本体
１０２  引掛シーリングアダプタ（給電部）
Ｖａｃ  入力電圧
Ｖｒ  整流電圧
Ｖ１  昇圧電圧
Ｖ２１−Ｖ２４  負荷電圧
【図１】
2019033048.tif 000003
【図２】
2019033048.tif 000004
【図３】
2019033048.tif 000005
【図４】
2019033048.tif 000006
【図５】
2019033048.tif 000007
【図６】
2019033048.tif 000008
【図７】
2019033048.tif 000009
【図８】
2019033048.tif 000010
【図９】
2019033048.tif 000011
【図１０】
2019033048.tif 000012
【図１１】
2019033048.tif 000013